(57)【要約】【課題】  おもり等による製品コストをおさえ、自然給気口を安価に市場供給し、かつ、過給気防止シャッターと筒体を含んだ奥行き寸法を短くして薄壁住宅に設置可能な構造にすることを目的とする。【解決手段】  外壁に設けた開口部に挿入して固定され、室内と室外を連通する筒体を設けた自然給気口において、前記大小２個からなる筒体を同心円弧あるいは、偏心円弧状に設け、外側筒体と内側筒体の間面と内側筒体内面に開口部を設け、前記内側筒体には回動自在に支持された過給気防止シャッターを備えた。【選択図】  図１
2005164130.tif 000002
【特許請求の範囲】
【請求項１】
外壁に設けた開口部に挿入して固定され、室内と室外を連通する筒体を設けた自然給気口において、
大小２個からなる筒体を同心円弧あるいは偏心円弧状に設け、外側筒体と内側筒体の間面と内側筒体内面に開口部を設け、前記内側筒体には回動自在に支持された過給気防止シャッターを備えたことを特徴とした自然給気口。
【請求項２】
請求項１において、
内側筒体を自重により、該筒体の中心線に略垂直な姿勢で保持される前記過給気防止シャッターの支持軸に対し、天地方向で筒体の天方向寸法が、地方向寸法よりも長くなるべく約２５°斜め形状になる様に形成したことを特徴とした自然給気口。
【請求項３】
請求項１又は２において、
室内と室外を連通する筒体開口部の室内側に室内より開閉自在に支持された開閉シャッターを備えたことを特徴とした自然給気口。
【請求項４】
請求項１乃至３の何れかにおいて、
筒体開口部の室内側に外気清浄フィルターを設けたことを特徴とした自然給気口。
【請求項５】
請求項１乃至４の何れかにおいて、
前記過給気防止シャッターを鋼板材やステンレス材等で形成したことを特徴とした自然給気口。
【請求項６】
請求項１乃至５の何れかにおいて、
室内側より筒体を覆う、パネルあるいはグリルを設け、前記パネルあるいはグリルに光触媒材料を塗布したことを特徴とした自然給気口。
【発明の詳細な説明】
【技術分野】
【０００１】
本発明は、建物の壁などに設置し、換気扇等の排気により発生する室内の負圧に対して、給気を行う自然給気口に関するものである。
【背景技術】
【０００２】
従来の自然給気口は、図５に示すように１個の筒体Ａ２１に回動自在に支持された過給気防止シャッターＡ２２備え、前記過給気防止シャッターＡ２２を樹脂材等で形成したものや２個の筒体Ａ２１を形成しているが、外側筒体Ａ２１ａと内側筒体Ａ２１ｂの間面には開口部Ａ２３がなく過給気防止シャッターＡ２２をステンレス材等で形成したものがある。
【０００３】
上記シャッター構造の代表的な例としては、過給気防止シャッターＡ２２下部を折曲２５形成し、目的風量が確保出来る位の開口部２３を設け、開口部２３より給気２４量を確保するものである。
【０００４】
また、換気扇等の排気により室内に負圧が発生した場合には、容易に過給気防止シャッターａ２２が閉じてしまうので、給気バランス確保のため、樹脂材等で形成した過給気防止シャッターａ２２にはおもり等を付設して、シャッター自重により、過給気防止シャッターａ２２が容易に閉じてしまうのを防止している。
【０００５】
また、ステンレス材等で形成したものは、過給気防止シャッターａ２２が容易に閉じてしまうことを防ぐ目的として折曲２５を大きくする等バランスをとっている。
【０００６】
自然給気口に関しては、例えば特許文献１に開示されている。
【０００７】
【特許文献１】特開2001-241747号公報
【発明の開示】
【発明が解決しようとする課題】
【０００８】
このように従来の自然給気口は、おもり等など別部品を付設するため、製品コストがＵＰし、安価に市場供給できない問題や過給気防止シャッターａ２２下部を室外側に大きく折り曲げるため本体壁埋込寸法（Ｆ寸法）も大きくなり、屋外に取付ける雨返し２６付きの深形フード２７などと組合わせて使用する場合、過給気防止シャッターａ２２折曲２５部が深形フード２７の雨返し２６部と当接するため、薄壁の住宅等には取付けできない問題や過給気防止シャッターａ２２の開口部ａ２３のみでは、給気量不足のため、室内側より筒体ａ２１を覆うパネル開口部２８を大きく（Ｈ寸法）する必要があり、パネル２９を薄形化できず壁面より室内側出張るパネル２９寸法（Ｊ寸法）が大きくなるため、インテリア性においても見栄えが悪い等の問題があった。
【０００９】
また、著しく外風の侵入が大きい場合には、筒体ａ２１を閉扉されたシャッターの間隙において、笛鳴現象を発生する事もある。
【００１０】
本発明の目的は、おもり等による製品コストをおさえ、自然給気口を安価に市場供給することを目的とする。
【００１１】
自然給気口の過給気防止シャッターと筒体を含んだ奥行き寸法を短くして薄壁住宅に設置可能な構造にすることを目的とする。
【００１２】
本発明による構造としたことで、充分な給気量を確保し、室内側より筒体を覆うパネルを薄形化でき、それによるインテリア性向上が可能となる。
【００１３】
また、従来技術での狭部間隙に強い風が吹き込む事による笛鳴現象を防ぐ事を目的とする。
【課題を解決するための手段】
【００１４】
前記目的を達成するために本発明の特徴とするところは、外壁に設けた開口部に挿入して固定され、室内と室外を連通する筒体を設けた自然給気口において、前記大小２個からなる筒体を同心円弧あるいは、偏心円弧状に設け、外側筒体と内側筒体の間面と内側筒体内面に開口部を設け、前記内側筒体には回動自在に支持された過給気防止シャッターを備えたことにある。
【００１５】
また、本発明の特徴とするところは、内側筒体を自重により、該筒体の中心線に略垂直な姿勢で保持される過給気防止シャッターの支持軸に対し、天地方向で筒体の天方向寸法が、地方向寸法よりも長くなるべく約２５°斜め形状されるよう形成したことにある。
【００１６】
さらに、本発明の特徴とするところは、過給気防止シャッターを鋼板材やステンレス材等で形成したことにある。
【発明の効果】
【００１７】
本発明によれば、おもり等の製品コストをおさえ安価に市場供給でき、過給気防止シャッターと筒体を含み奥行き寸法を短くして薄壁住宅に設置可能である。
【００１８】
また、本発明によれば、大小２個からなる筒体を同心円弧あるいは偏心円弧状に設け、外側筒体と内側筒体の間面と内側筒体内面に開口部を設け、前記内側筒体には回動自在に支持された過給気防止シャッターを備えた筒体構造としたことで、充分な給気量を確保し、室内側より筒体を覆うパネルを薄形化でき、それによるインテリア性向上が可能となる。
【００１９】
また、従来技術での狭部間隙に強い風が吹き込む事による笛鳴現象を防ぐことが可能となる。
【発明を実施するための最良の形態】
【００２０】
以下、本発明の実施形態を図面に沿って説明する。図１は本発明の実施形態の自然給気口における縦方向断面図であり、図２ａは開閉シャッターを開いたときを示す自然給気口正面図であり、図２ｂは開閉シャッターを閉じた時を示す自然給気口正面図である。
【００２１】
図１、図２において、外壁１に設けた開口に挿入して固定され、室内と室外を連通する筒体２を設けた自然給気口において、前記大小２個からなる筒体２を同心円弧あるいは偏心円弧状に設け、前記筒体２を備えたフレーム３に固定用ネジ挿入穴４を設け、外側と内側に２重になるように、筒体２を形成している。
【００２２】
前記２個筒体２は、外側筒体２ａと内側筒体２ｂに形成され、外側筒体２ａと内側筒体２ｂの間面と内側筒体２ｂ内面に、室外より給気流を連通させるための開口部５を設けており、前記内側筒体２ｂには回動自在に支持された鋼板材やステンレス材の過給気防止シャッター６を備えている。
【００２３】
また、前記内側筒体２ｂを自重により、該筒体の中心線に略垂直な姿勢で保持される過給気防止シャッター６の支持軸７に対し、天地方向で筒体２の天方向寸法が、地方向寸法よりも長くなるべく約２５°斜め（Ａ寸法）に形状される様、形成している。
【００２４】
一方、フレーム３の室内側には、台風などの外風の侵入などが強いときや、冬場の給気による肌寒さ感じる場合に閉じることができる開閉シャッター指示部８を設け、前記開閉シャッター指示部８は、後記スライド開閉シャッター９のストッパー１０の役目も果たしている。
【００２５】
また、給気流に混入する砂ほこりや花粉などを除去するための外気清浄フィルター１２を指示する箱体のリブ１１を設け、前記リブ１１先端には、外気清浄フィルター１２脱落防止用リブ１３を設けている。
【００２６】
また、外側筒体２ａと内側筒体２ｂの間面と内側筒体２ｂ内面に、室外より給気流を連通させるための開口部５は、格子状１４に形成している。
【００２７】
開閉シャッター９は、フレーム３外側筒体２ａの内寸法と同一径開口部１５を設け、フレーム３筒体開口部５に形成した開口部５と同一幅で格子状１４に形成しており、開閉シャッター９下部には、シャッター開閉用ツマミ１６を設け、フレーム３に形成している格子状開口部５と開閉シャッター９に形成している格子状開口部１５を開閉シャッター９スライド操作することで開時（図２左図）は、格子状開口部１５がフレーム３筒体開口部５に形成した開口部５と同一幅で格子状開口部５と重なり給気流が室内に流れ込む。
【００２８】
閉時は格子状開口部１５がフレーム３筒体開口部５に形成した開口部５と同一幅で格子状開口部５と互い違いになることで、給気流が室内流れ込むのを防止できる。
【００２９】
さらに、前記フレーム３、開閉シャッター９、外気清浄フィルター１２を覆うパネル１７を室内側に設けており、フレーム３とツメ１８勘合にて着脱可能な構造としている。
【００３０】
このような自然給気口において、図３に示すように、前記大小２個からなる筒体２を同心円弧あるいは偏心円弧状に設け、外側筒体２ａと内側筒体２ｂの間面と内側筒体２ｂ内面に開口部５を設け、前記内側筒体２ｂには回動自在に指示された過給気防止シャッター９を備え、内側筒体２ｂを自重で垂直な過給気防止シャッター９の指示軸に対し、約２５°斜めにカット（Ａ寸法）し形成したことで、過給気防止シャッター９が自重で開時は、外側筒体２ａと内側筒体２ｂの間面と内側筒体２ｂ内面に開口部５より充分な給気流２０が室内流れ込み、かつ、内側筒体２ｂを自重により、該筒体の中心線に略垂直な姿勢で保持される過給気防止シャッター９の支持軸に対し、天地方向で筒体の天方向寸法が、地方向寸法よりも長くなるべく約２５°（Ａ寸法）斜め形状される様形成したことにより充分な給気流２０が室内に流れ込みやすい構造である。
【００３１】
また、前記過給気防止シャッター９を鋼板材やステンレス材等で形成したことで、室内の負圧量が少ない場合でも、鋼板材やステンレス材のおもさにて、容易に過給気防止シャッター９が閉まらず安定した給気２０量を確保できる。
【００３２】
これにより、過給気防止シャッターを９樹脂材、下部に付けるおもり等の製品コストをおさえ安価に市場供給できる。
【００３３】
図４に示すように、換気扇等の排気により発生する室内の負圧量が多い場合は、過給気防止シャッター９が完全に密閉されるが、外側筒体２ａと内側筒体２ｂの間面に開口部５を設けているため、給気量を確保でき、常時換気義務化による過給気を防止しながらも給気量を確保でき、過給気防止シャッター９にて完全密閉してしまうと給気量全く確保できなくなるので、過給気防止シャッター９下部を折曲部形成し開口部を設ける必要がなく、過給気防止シャッター９と筒体２を含み奥行き寸法（Ｂ寸法＜Ｆ寸法）を短くして薄壁住宅に設置可能な構造（Ｅ寸法＜Ｇ寸法）にすることができる。
【００３４】
また、過給気防止シャッター９密閉性も必要であり、また、過給気防止シャッター９下部の折曲開口部面積のみ給気量不足のため、室内側より筒体２を覆うパネル開口部１９を大きくする必要があったが、外側筒体２ａと内側筒体２ｂの間面に開口部５を設けているため、給気量を確保でき、室内側パネル開口部１９が狭い（Ｃ寸法＜Ｈ寸法）場合でも性能確保できるため、パネル１７薄形化（Ｄ寸法＜Ｊ寸法）でインテリア性向上が可能となる。
【００３５】
また、狭部間隙に強い風が吹き込む事による笛鳴現象を防ぐ事が可能となる。を目的とする。
【００３６】
さらに、前記パネル１７に光触媒を塗布することで、住宅に設置後も汚れがつきにくく、顧客のメンテナンスが容易になる。
【図面の簡単な説明】
【００３７】
【図１】本発明の実施形態の自然給気口における縦方向断面図である。
【図２】本発明の実施形態のパネルと外気清浄フィルターを除く開閉シャッター開時と閉時を示す自然給気口正面図である。
【図３】本発明の実施形態の自然給気口における給気流の流れを示す縦方向断面図である。
【図４】本発明の実施形態の自然給気口における過給気防止シャッター密閉時の給気流の流れを示す縦方向断面図である。
【図５】従来の自然給気口を示す縦方向断面図である。
【符号の説明】
【００３８】
１…外壁、２…筒体、２ａ…外側筒体、２ｂ…内側筒体、３…フレーム、４…ネジ挿入穴丸穴、５…開口部、６…過給気防止シャッター、７…支持軸、８…開閉シャッター指示部、９…開閉シャッター、１０…ストッパー、１１…箱体のリブ、１２…外気清浄フィルター、１３…脱落防止用リブ、１４…格子状、１５…格子状開口部、１６…開閉用ツマミ、１７…パネル、１８…ツメ、１９…パネル開口部、２０…給気流、２１…筒体Ａ、２１ａ…外側筒体Ａ、２１ｂ…内側筒体Ａ、２２…過給気防止シャッターＡ、２３…開口部Ａ、２４…給気、２５…折曲、２６…雨返し、２７…深形フード、２８…パネル開口部、２９…パネル。
【図１】
2005164130.tif 000003
【図２】
2005164130.tif 000004
【図３】
2005164130.tif 000005
【図４】
2005164130.tif 000006
【図５】
2005164130.tif 000007